(57)【要約】【課題】テールライトの位置を変えずにライセンスライトの位置調整を可能としたライセンスライト一体型テールライト装置を提供する。【解決手段】自動二輪車１の車体の後部に取り付けられるライセンスライト一体型テールライト装置としてのテールライトユニット３０において、テールライト用ＬＥＤ３３からなるテールライトを支持するベース３５に対し、ライセンスライトユニット４５を位置調整可能に取り付ける。ライセンスライトユニット４５は、ベース３５の延出部４０のレール部４１に形成されたガイド孔４１ａに沿って、車体前後方向に調整可能とする。ライセンスライトユニット４５は、ライセンスライト用ＬＥＤ４３と、これを支持する支持部材４２と、支持部材４２に締結される締結部材５０とを有し、締結部材５０をガイド孔４１ａに挿通させて支持部材４２と締結することでレール部４１およびベース３５に固定される。【選択図】図２
2008126708.tif 000002
【特許請求の範囲】
【請求項１】
自動二輪車の車体の後部に取り付けられるライセンスライト一体型テールライト装置において、
テールライトと、
ライセンスプレートを照射するライセンスライトと、
前記ライセンスプレートの配設状態に応じて該ライセンスプレートを適切に照射するように、前記ライセンスライトの照射方向を可変する可変手段とを具備することを特徴とするライセンスライト一体型テールライト装置。
【請求項２】
前記テールライトおよびライセンスライトを支持する共通のベースを具備し、  前記ライセンスライトは、前記ベースの一部に形成されたガイド孔との係合位置に応じて、前記車体の前後方向に位置調整可能となるように構成されていることを特徴とする請求項１に記載のライセンスライト一体型テールライト装置。
【請求項３】
前記ライセンスライトは、発光体と、該発光体を支持する支持部材と、該支持部材に締結される締結部材とを有し、
前記締結部材を前記ガイド孔に挿通させて前記支持部材と締結することで前記ライセンスライトが前記ベースに固定されることを特徴とする請求項２に記載のライセンスライト一体型テールライト装置。
【請求項４】
前記テールライトおよび前記ライセンスライトを覆うと共に、前記ベースに取り付けられるレンズ部材を備え、
前記レンズ部材には、前記ライセンスライトの車体後方側の位置に濃色部が設けられていることを特徴とする請求項２または３のいずれかに記載のライセンスライト一体型テールライト装置。
【発明の詳細な説明】
【技術分野】
【０００１】
本発明は、ライセンスライト一体型テールライト装置に係り、特に、テールライトの位置を変えずにライセンスライトの位置調整を可能としたライセンスライト一体型テールライト装置に関する。
【背景技術】
【０００２】
従来から、自動二輪車の車体後部に取り付けられるテールライト装置において、車体側への取付構造を簡略化する工夫が知られている。
【０００３】
特許文献１には、テールライトとウィンカ装置とを一体的に構成したテールライト装置において、車体後方側に延びるパイプ状の車体フレームの後端部に、テールライトユニットのベースの前端面に立設した棒状部材を挿入した後、車体フレームと棒状部材とをピンで固定するようにした取付構造が開示されている。
【特許文献１】実開平１−８７０９３号公報
【発明の開示】
【発明が解決しようとする課題】
【０００４】
特許文献１に開示されるような一体型テールライト装置において、ライセンスプレート（ナンバープレート）を照射するライセンスライトを一体的に内蔵する構成も周知である。一方、同一車種を各国に輸出する際に、法規制の違いでライセンスプレートの取付角度等が異なること等から、テールライトの位置を変えずにライセンスライトの照射方向や照射範囲のみを変更したいという要求が生じることがある。特許文献１に開示される取付構造では、前記したような要求に応えることができず、従来は、ライセンスライトの取付位置が異なる複数の仕様を用意することで、生産工数が増大するという課題があった。
【０００５】
本発明の目的は、上記した従来技術の課題を解決し、テールライトの位置を変えずにライセンスライトの位置調整を可能としたライセンスライト一体型テールライト装置を提供することにある。
【課題を解決するための手段】
【０００６】
前記した目的を達成するために、本発明は、自動二輪車の車体の後部に取り付けられるライセンスライト一体型テールライト装置において、テールライトと、ライセンスプレートを照射するライセンスライトと、前記ライセンスプレートの配設状態に応じて該ライセンスプレートを適切に照射するように、前記ライセンスライトの照射方向を可変する可変手段とを具備する点に第１の特徴がある。
【０００７】
また、前記テールライトおよびライセンスライトを支持する共通のベースを具備し、前記ライセンスライトは、前記ベースの一部に形成されたガイド孔との係合位置に応じて、前記車体の前後方向に位置調整可能となるように構成されている点に第２の特徴がある。
【０００８】
また、前記ライセンスライトは、発光体と、該発光体を支持する支持部材と、該支持部材に締結される締結部材とを有し、前記締結部材を前記ガイド孔に挿通させて前記支持部材と締結することで、前記ライセンスライトが前記ベースに固定される点に第３の特徴がある。
【０００９】
さらに、前記テールライトおよび前記ライセンスライトを覆うと共に、前記ベースに取り付けられるレンズ部材を備え、前記レンズ部材には、前記ライセンスライトの車体後方側の位置に濃色部が設けられている点に第４の特徴がある。
【発明の効果】
【００１０】
第１の発明によれば、テールライトと、ライセンスプレートを照射するライセンスライトと、ライセンスプレートの配設状態に応じて該ライセンスプレートを適切に照射するように、ライセンスライトの照射方向を可変する可変手段とを具備するので、同一形状のテールライトユニットおよびベースを、ライセンスライトの照射方向および照射範囲が異なる他の車種に適用させることが可能となり、部品の汎用性が高められる。
【００１１】
第２の発明によれば、テールライトおよびライセンスライトを支持する共通のベースを具備し、ライセンスライトは、ベースの一部に形成されたガイド孔に沿って車体の前後方向に位置調整可能となるように構成されているので、ライセンスライトの照射方向および照射範囲の調整が可能となり、各国の法規制の違いによってライセンスプレートの取付角度が同一車種において異なる場合にも、ライセンスライトの照射光の最適化を図ることが可能となる。これにより、仕向地別の専用部品等が不要となり、生産工数を低減することができる。
【００１２】
第３の発明によれば、ライセンスライトは、発光体と、発光体を支持する支持部材と、支持部材に締結される締結部材とを有し、締結部材をガイド孔に挿通させて支持部材と締結することでライセンスライトがベースに固定されるようにしたので、締結部材を締結するのみでライセンスライトの位置を決定することが可能となる。これにより、ライセンスライトの位置の微調整も容易となる。
【００１３】
第４の発明によれば、テールライトおよびライセンスライトを覆うと共に、ベースに取り付けられるレンズ部材を備え、レンズ部材には、ライセンスライトの車体後方側の位置に濃色部が設けられているので、車体後方側からはレンズ部材を通してライセンスライトが視認されなくなり、テールライトユニットの外観性を向上すると共に、デザインの自由度を高めることが可能となる。また、濃色部に遮光性を与えた場合には、ライセンスライトの照射光を車体後方側へ漏らさないようにすることが可能となる。
【発明を実施するための最良の形態】
【００１４】
以下、図面を参照して本発明の好ましい実施の形態について詳細に説明する。図１は、本発明を適用した自動二輪車の一実施形態の側面図である。自動二輪車１の車体フレーム２の前端部には、前輪ＷＦを回転可能に軸支する左右一対のフロントフォーク６が、ハンドル５によって操舵可能となるように取り付けられている。車体フレーム２の後部には、駆動輪としての後輪ＷＲを回転可能に軸支するスイングアーム１４が、ピボット軸１３を中心に揺動自在となるように取り付けられている。車体フレーム２の下方には、駆動源としてのエンジン２が配設されており、その回転駆動力はドライブチェーン１５を介して後輪ＷＲに伝達される。また、車体前端部には、ヘッドライト８および左右一対の前側ウィンカ装置９が取り付けられたアッパーカウル７が配設されている。
【００１５】
車体フレーム２の上部には燃料タンクカバー３が取り付けられ、その後方には、乗員が着座するシート１０が配設されている。そして、シート１０の下方から車体後方側に延びてリヤシート１１を支持するシートカウル１２の後端下方に、本発明の一実施形態に係るライセンスライト一体型テールライト装置としてのテールライトユニット３０が取り付けられている。該テールライトユニット３０の下方にはリヤフェンダ１６が配設されており、このリヤフェンダ１６に、左右一対の後側ウィンカ装置１７と、車両番号票としてのライセンスプレート１８とが取り付けられている。前記テールライトユニット３０は、制動時に点灯するブレーキ灯およびヘッドライト点灯時等に点灯するポジション灯として機能するテールライトと、ライセンスプレート１８を照射するためのライセンスライトとを一体的に収納した構成とされている。
【００１６】
図２は、テールライトユニット３０の内部構造を示す斜視図である。また、図３は、車体後方側から見たテールライトユニット３０の正面図である。さらに、図４は、図３のＡ−Ａ線断面図である。図２を参照して、テールライトユニット３０は、複数のＬＥＤ（発光ダイオード）からなると共に、車体側から供給される電力で点灯するテールライトおよびライセンスライトを支持するベース３５を、テールライト用レンズ３１等からなるレンズ部材で覆った構成とされている。テールライトユニット３０は、自動二輪車１の車体に対して、ベース３５の長手方向が車幅方向に向き、かつベース３５の平面部が鉛直方向に沿うように取り付けられる。また、ベース３５の外壁面には、車体側への取付部（不図示）が設けられ、内壁面側の上部には、左右一対の円柱状のステー３９が立設されている。
【００１７】
複数のテールライト用ＬＥＤ３３が取り付けられた基板３４は、ネジ５１によってステー３９の先端部に固定されている。本実施形態に係る基板３４には、計９個のテールライト用ＬＥＤ３３が取り付けられており、ポジション灯の点灯時には所定の４個が点灯し、ブレーキ灯の点灯時には全９個が点灯する等の所定のパターンで作動するように構成されている。なお、テールライト用ＬＥＤ３３の配設個数や配設位置、点灯パターン等は、種々の変更が可能である。
【００１８】
一方、ベース３５の内壁面の下部には、ライセンスライトユニット４５を支持するための左右一対の延出部４０が形成されており、該延出部４０から延びる板状のレール部４１に、車体前後方向に沿った長孔形状の貫通孔であるガイド孔４１ａが設けられている。ライセンスライトユニット４５は、箱状とされる支持部材４２の下面側に複数のライセンスライト用ＬＥＤ４３を取り付けた構成とされている。また、支持部材４２の車幅方向の両側面には、締結部材５０が締結される締結部４２ａが形成されており、鍋ネジや皿ネジ等からなる締結部材５０を、レール部４１の上方からガイド孔４１ａを挿通させて締結部４２ａに螺合させるように構成されている。これにより、ライセンスライトユニット４５をベース３５に組み付ける際に、ガイド孔４１ａの長手方向の寸法の範囲内で位置調整を行ってから締結部材５０を締結することで、ライセンスライトユニット４５を任意の位置に固定することが可能となる。上記したように、本実施形態では、レール部４１に形成されたガイド孔４１ａに締結部材５０を挿通させて、該締結部材５０を支持部材４２に締結させる係合構造によって、ライセンスライトユニット４５の照射方向を可変する可変手段が構成されることとなる。
【００１９】
なお、締結部材５０には、前記締結部４２ａとカシメ固定されるリベット等を適用してもよい。また、本実施形態に係る支持部材４２には、計６個のライセンスライト用ＬＥＤ４３が取り付けられると共に、前記ポジション灯の点灯時に点灯するように構成されているが、ライセンスライト用ＬＥＤ４３の配設個数や配設位置、点灯パターン等は、種々の変更が可能である。
【００２０】
図３の正面図において、ベース３５を覆うレンズは、テールライト用ＬＥＤ３３の車体後方側（図示手前側）に、無色透明または有色透明の樹脂等で形成されたテールライト用レンズ３１が配設され、一方、ライセンスライト用ＬＥＤ４３の車体後方側には、濃色部を構成する装飾レンズ３２が配設されている。この装飾レンズ３２は、黒色等の濃色の部材で形成したり、透明な部材に濃色の塗装を施す等で構成されているので、ライセンスライトユニット４５（図示破線部）の形状が車両後方側から視認されなくなる。これにより、テールライトユニット３０の外観性を向上させると共に、デザインの自由度を高めることが可能となる。また、装飾レンズ３２に遮光機能を与えることで、ライセンスライトユニット４５の照射光が車両後方側に漏れないようにすることができる。
【００２１】
図４の断面図において、テールライト用ＬＥＤ３３の図示右側、すなわち、車体後方側には、照射光の拡散等の機能を有するインナーレンズ３６が取り付けられている。また、インナーレンズ３６の下部には、テールライトとライセンスライトとの照射光が互いに干渉しないようにする遮蔽板３７が取り付けられている。ライセンスライトユニット４５のライセンスライト用ＬＥＤ４３の照射光は、装飾レンズ３２に隣接して配設される無色透明または白色透明のライセンスライト用レンズ３８を透過して、テールライトユニット３０の下方に向けて照射されることとなる。なお、本実施形態では、レール部４１の上方から締結部材５０を螺合して締結した後に、遮蔽板３７およびインナーレンズ３６を取り付けるようにすることで、一度ライセンスライトユニット４５の位置を決定して組み立てた後は、仕向地等の変更ができないように構成されている。
【００２２】
図５は、ライセンスライトユニット４５の位置調整に伴う照射光１００の変化の一例を示す模式図であり、ライセンスライトユニット４５を車体前方側に固定した状態（ａ）と、車体後方側に固定した状態（ｂ）とを示す。この図では、欧州や豪州等の法規制に適合する位置に取り付けたライセンスプレート１８ａと、該ライセンスプレート１８ａとはリヤフェンダ１６への取付角度等が異なり、米国等の法規制に適合する位置に取り付けたライセンスプレート１８ｂとを示している。そして、図示するように、ライセンスライトユニット４５を車体前方側に固定した場合（ａ）には、鉛直方向に対する傾斜角が深いライセンスプレート１８ａが適切に照射され、ライセンスライトユニット４５を車体後方側に固定した場合（ｂ）は、より傾斜角の浅いライセンスプレート１８ｂを適切に照射されるるように構成されている。
【００２３】
上記したように、本実施形態に係るテールライトユニット３０は、その組み立て時にライセンスライトユニット４５の取付位置を調整することで、ライセンスライトの照射光１００の照射方向および照射範囲を変更できるので、一種類のテールライトユニット３０で各国の法規制に適合させることが可能となる。これにより、仕向地別の専用部品等が不要となり、生産工数を低減することができるようになる。また、同一のテールライトユニットまたはベースを他の車種に流用する際の対応幅を広げることができ、部品の汎用性を高めることが可能となる。
【００２４】
図６は、本発明の第２実施形態に係るライセンスライトの可変手段の構成を示す説明図である。前記と同一符号は、同一または同等部分を示す。本実施形態では、前記延出部４０の先端に、屈曲部４６ａを有する第２レール部４６が設けられ、該第２レール部４６の水平部分と屈曲部４６ａのそれぞれに前記締結部材５０が挿通するガイド孔が形成されている点に特徴がある。これにより、複数のライセンスライト用ＬＥＤ４３を有する第２ライセンスライトユニット６０は、締結部材５０の挿通位置を変えることでテールライトユニットに対する取付位置および取付角度が変更され、これに伴って、照射光１００の照射方向を任意に変更することが可能となる。なお、屈曲部４６ａを含む第２レール部４６の形状は、本実施形態に限られず種々の変形が可能である。例えば、屈曲部４６ａの形状を変更すると共にガイド孔を増設し、取付位置を複数段階可変式としてもよい。
【００２５】
図７は、本発明の第３実施形態に係るライセンスライトの可変手段の構成を示す説明図である。前記と同一符号は、同一または同等部分を示す。本実施形態では、前記延出部４０の先端に、揺動軸４７ａを有する第３レール部４７が設けられると共に、複数のライセンスライト用ＬＥＤ４３を有する第３ライセンスライトユニット７０が、該揺動軸４７ａによって揺動可能に取り付けられている点に特徴がある。この構成によれば、前記照射光１００の照射方向を任意に変更することが可能となる。なお、揺動軸４７には、振動等で第３ライセンスライトユニット７０が揺動しないよう、ネジ等による固定手段を設けることができる。
【００２６】
図８は、本発明の第４実施形態に係るライセンスライトの可変手段の構成を示す説明図である。前記と同一符号は、同一または同等部分を示す。本実施形態では、ライセンスライトの可変手段が、前記ライセンスライトユニット４５の照射光１００を透過するレンズによって構成されている点に特徴がある。本実施形態に係る第２ライセンスライト用レンズ８０には、入射される照射光を所定の角度で屈折させて透過する機能が与えられている。そして、図示するように、鉛直方向上側から照射される照射光１００を、車体後方側に所定の角度で照射する（ａ）の位置に対して、第２ライセンスライト用レンズ８０の車体前後方向を反対向きに取り付けた（ｂ）では、車体前方側に所定角度で照射させることが可能となる。該構成によれば、ライセンスライトユニット４５の取付位置や角度を変えることなく、照射光１００の照射方向を任意に変更することが可能となる。
【００２７】
なお、前記テールライトユニットのベース、延出部、レール部、ガイド孔の形状、ライセンスライトの支持部材、締結部、ライセンスライト用ＬＥＤの配設個数や配設位置等は、上記した実施形態に限られず、種々の変形が可能であることは勿論である。例えば、前記レール部に形成されるガイド孔を、前記したような長孔形状に代えて複数の位置決め孔として、締結部材を挿通させる孔位置を変更することでライセンスライトの位置調整を行う構成してもよい。また、テールライトおよびライセンスライト用の発光源に白熱電球を使用したり、テールライトユニットに後側ウィンカ装置を一体的に収納する構成とすることもできる。
【図面の簡単な説明】
【００２８】
【図１】本発明の一実施形態に係るテールライトユニットを適用した自動二輪車の側面図である。
【図２】テールライトユニット内部構造を示す斜視図である。
【図３】テールライトユニットの正面図である。
【図４】図２のＡ−Ａ線断面図である。
【図５】ライセンスライトの位置調整に伴う照射光の変化を示す模式図である。
【図６】本発明の第２実施形態に係るライセンスライトの可変手段の構成を示す説明図である。
【図７】本発明の第３実施形態に係るライセンスライトの可変手段の構成を示す説明図である。
【図８】本発明の第４実施形態に係るライセンスライトの可変手段の構成を示す説明図である。
【符号の説明】
【００２９】
３０…テールライトユニット（ライセンスライト一体型テールライト装置）、３１…テールライト用レンズ、３３…テールライト用ＬＥＤ、３４…基板、３５…ベース、４０…延出部、４１…レール部、４１ａ…ガイド孔、４２…支持部材、４３…ライセンスライト用ＬＥＤ（発光体）、４５…ライセンスライトユニット、５０…締結部材
【図１】
2008126708.tif 000003
【図２】
2008126708.tif 000004
【図３】
2008126708.tif 000005
【図４】
2008126708.tif 000006
【図５】
2008126708.tif 000007
【図６】
2008126708.tif 000008
【図７】
2008126708.tif 000009
【図８】
2008126708.tif 000010